(57)【要約】【課題】忘れ物の場所を迅速に特定可能であり、子供を迅速に見つけることが可能な双方向通信システムを提供する。【解決手段】第一通信装置１１は、第一演算処理ユニット１１１、第一バッテリ１１３、第一入力モジュール１１５、第一出力モジュール１１７、および、第一無線通信モジュール１１９を有する。第一バッテリ１１３、第一入力モジュール１１５、第一出力モジュール１１７、および第一無線通信モジュール１１９は第一演算処理ユニット１１１に電気的に接続されている。第二通信装置１３は、第二演算処理ユニット１３１、第二バッテリ１３３、第二入力モジュール１３５、第二出力モジュール１３７、および、第二無線通信モジュール１３９を有する。【選択図】  図１
2015106800.tif 000002
【特許請求の範囲】
【請求項１】
第一通信装置および第二通信装置を備え、
前記第一通信装置は、第一演算処理ユニット、第一バッテリ、第一入力モジュール、第一出力モジュール、および、第一無線通信モジュールを有し、前記第一バッテリ、前記第一入力モジュール、前記第一出力モジュール、および前記第一無線通信モジュールが前記第一演算処理ユニットに電気的に接続されており、前記第一演算処理ユニットに第一通信装置コードおよび第一通信アドレスが記憶されており、
前記第二通信装置は、第二演算処理ユニット、第二バッテリ、第二入力モジュール、第二出力モジュール、および、第二無線通信モジュールを有し、前記第二バッテリ、前記第二入力モジュール、前記第二出力モジュール、および前記第二無線通信モジュールが前記第二演算処理ユニットに電気的に接続されており、前記第二演算処理ユニットに第二通信装置コードおよび第二通信アドレスが記憶されており、
前記第一通信装置は、前記第一入力モジュールが前記第一演算処理ユニットを作動させることで、前記第一通信装置コード、前記第一通信アドレス、および前記第二通信装置コードを含み、前記第二通信装置を呼び出す信号である第一種呼出信号を発生し、前記第一無線モジュールによって前記第一呼出信号を発信し、
前記第二通信装置は、前記第二無線通信モジュールにより前記第一呼出信号を受信し、前記第二演算処理ユニットにより前記第一呼出信号の中の前記第二通信装置コードに基づいて通知信号を生成し、前記第二出力モジュールによって当該通知信号を発信し、
前記第二通信装置は、前記第二入力モジュールが前記第二演算処理ユニットを作動させることで、前記第二通信装置コード、前記第二通信アドレス、および前記第一通信装置コードを含み、前記第一通信装置を呼び出す信号である第二種呼出信号を発生し、前記第二無線モジュールによって前記第二種呼出信号を発信し、
前記第一通信装置は、前記第一無線通信モジュールにより前記第二種呼出信号を受信し、前記第一演算処理ユニットにより前記第二種呼出信号の中の前記第一通信装置コードに基づいて通知信号を生成し、前記第一出力モジュールによって当該通知信号を発信することを特徴とする双方向通信システム。
【請求項２】
前記第一通信装置は、前記第一入力モジュールが前記第一演算処理ユニットを作動させることで前記第二通信装置を監視する信号である第一種監視信号を発生し、前記第一無線通信モジュールにより前記第一種監視信号を発信し、
前記第二通信装置は、前記第二無線通信モジュールにより前記第一通信装置からの前記第一監視信号を受信し、前記第二演算処理ユニットにより前記第一監視信号に基づいて複数の応答周期内に複数の第一種応答指信号を生成し、前記第二無線通信モジュールによって前記第一種応答信号を発信し、
前記第一通信装置は、前記第一演算処理ユニットによって制御される前記第一無線通信モジュールにより所定周期毎に前記第一種応答信号を受信し、前記第一演算処理ユニットにより警告条件に基づいて警告信号を発生じ、前記第一出力モジュールによって前記警告信号を発信し、
前記警告条件は、前記第一無線通信モジュールが前記所定周期内に前記応答信号を受信していないことを含むことを特徴とする請求項1に記載の双方向通信システム。
【請求項３】
前記警告条件は、前記第一無線通信モジュールが前記所定周期の二倍である所定周期内に前記応答信号を受信していないことを含むことであることを特徴とする請求項２に記載の双方向通信システム。
【請求項４】
前記応答周期は、稼働時間および休眠時間を含み、
前記第一演算処理ユニットは、前記休眠時間内に前記第一無線通信モジュールを制御し、前記応答信号の受信を中止し、
前記第二演算処理ユニットは、前記稼働時間内に前記応答信号を発信し、前記休眠時間内に前記応答信号の発信を中止し、
前記稼働時間は前記休眠時間の数倍であることを特徴とする請求項２に記載の双方向通信システム。
【請求項５】
前記第一バッテリは、前記第二バッテリの容量より小さい容量を有することを特徴とする請求項２に記載の双方向通信システム。
【請求項６】
前記第一入力モジュールおよび前記第二入力モジュールは、いずれも第一スイッチおよび第二スイッチを有し、
前記第一入力モジュールの第二スイッチのみが導通すると、前記第一演算処理ユニットが前記第一呼出信号を発生し、
前記第一入力モジュールの第一スイッチおよび第二スイッチが所定時間以上同時に導通すると、前記第一演算処理ユニットが前記第一監視信号を発生し、
前記第二入力モジュールの第二スイッチのみが導通すると、前記第二演算処理ユニットが前記第二呼出指信号を発生することを特徴とする請求項２に記載の双方向通信システム。
【請求項７】
第三通信装置をさらに備え、
前記第三通信装置は、第三演算処理ユニット、第三バッテリ、第三入力モジュール、第三出力モジュール、および、第三無線通信モジュールを有し、前記第三バッテリ、前記第三入力モジュール、前記第三出力モジュール、および前記第三無線通信モジュールが前記第三演算処理ユニットに電気的に接続されており、前記第三演算処理ユニットに、第三通信装置コード、第三通信アドレス、および、一斉呼出コードが記憶されており、
前記第一演算処理ユニットおよび前記第二演算処理ユニットには一斉呼出コードがさらに記憶されており、
前記第一通信装置は、前記第一入力モジュールが前記第一演算処理ユニットを作動させることで、前記第一通信装置コード、前記第一通信アドレス、および前記一斉呼出コードを含む第一種一斉呼出信号を発生し、前記第一無線通信モジュールによって前記第一種一斉呼出信号を発信し、
前記第二通信装置および前記第三通信装置は、前記第二無線通信モジュールおよび前記第三無線通信モジュールにより前記第一通信装置からの前記第一種一斉呼出信号を受信し、前記第二演算処理ユニットおよび前記第三演算処理ユニットにより前記第一種一斉呼出信号の中の前記一斉呼出コードに基づいて通知信号を生成し、前記第二出力モジュールおよび前記第三出力モジュールによって当該通知信号発信し、
前記第二通信装置は、前記第二入力モジュールが前記第二演算処理ユニットを作動させることで、前記第二通信装置コード、前記第二通信アドレス、および前記一斉呼出コードを含む第二種一斉呼出指令信号を発生し、前記第二無線通信モジュールによって前記第二種一斉呼出信号を発信し、
前記第一通信装置および前記第二通信装置は、前記第一無線通信モジュールおよび前記第三無線通信モジュール前記第二通信装置からの前記第二種一斉呼出信号を受信し、前記第一演算処理ユニットおよび前記第三演算処理ユニットにより前記第二種一斉呼出信号の中の一斉呼出コードに基づいて通知信号を生成し、前記第一出力モジュールおよび前記第二出力モジュールによって当該通知信号を発信し、
前記第三通信装置は、前記第三入力モジュールが前記第三演算処理ユニットを作動させることで、前記第三通信装置コード、前記第三通信アドレスおよび前記一斉呼出コードを含む第三種一斉呼出指令信号を発生し、前記第三無線通信モジュールによって前記第三種一斉呼出信号を発信し、
前記第一通信装置および前記第二通信装置は、前記第一無線通信モジュールおよび前記第二無線通信モジュールにより前記第三通信装置からの前記第三種一斉呼出指令信号を受信し、前記第一演算処理ユニットおよび前記第二演算処理ユニットにより前記第三種一斉呼出信号の中の前記一斉呼出コードに基づいて通知信号を生成し、前記第一出力モジュールおよび前記第二出力モジュールによって当該通知信号を発信することを特徴とする請求項１に記載の双方向通信システム。
【請求項８】
前記第三通信装置は、前記第三入力モジュールが前記第三演算処理ユニットを作動させることで、前記第三通信装置コード、前記第三通信アドレス、および前記第一通信装置コードを含み前記第一通信装置を呼び出す信号である第三種呼出信号と、前記第三通信装置コード、前記第三通信アドレス、および前記第二通信装置コードを含み前記第二通信装置呼び出す信号である第四種呼出信号とを発生し、前記第三無線モジュールによって前記第三種呼出信号および前記第四種呼出信号を発信し、
前記第一通信装置は、前記第一無線通信モジュールにより前記第三種呼出信号を受信し、前記第一演算処理ユニットにより前記第三通信装置からの前記第三種呼出信号の中の前記第一通信装置コードに基づいて通知信号を生成し、前記第一出力モジュールによって当該通知信号を発信し、
前記第二通信装置は、前記第二無線通信モジュールにより前記第三四呼出信号を受信し、前記第二演算処理ユニットにより前記第三通信装置からの前記第四種呼出信号の中の前記第二通信装置コードに基づいて通知信号を生成し、前記第二出力モジュールによって当該通知信号を発信し、
前記第一通信装置は、前記第一入力モジュールが前記第一演算処理ユニットを作動させることで、前記第一通信装置コード、前記第一通信アドレス、および前記第三通信装置コードを含み前記第三通信装置を呼び出す信号である第五種呼出信号を発生し、前記第一無線モジュールによって前記第五種呼出信号を発信し、
前記第三通信装置は、前記第三無線通信モジュールにより前記第五種呼出信号を受信し、前記第三演算処理ユニットにより前記第五呼出信号の中の前記第三通信装置コードに基づいて通知信号を生成し、前記第三出力モジュールによって当該通知信号を発信し、
前記第二通信装置は、前記第二入力モジュールが前記第二演算処理ユニットを起動させることで、前記第二通信装置コード、前記第二通信アドレス、および前記第三通信装置コードを含み前記第三通信装置を呼び出す信号である第六種呼出信号を発生し、前記第二無線モジュールによって前記第六種呼出信号を発信し、
前記第三通信装置は、前記第三無線通信モジュールにより前記第六種呼出信号を受信し、前記第三演算処理ユニットにより前記第六種呼出信号の中の前記第三通信装置コードに基づいて通知信号を生成し、前記第三出力モジュールによって当該通知信号を発信することを特徴とする請求項７に記載の双方向通信システム。
【請求項９】
前記第一入力モジュール、前記第二入力モジュール、および前記第三入力モジュールは、いずれも第一スイッチ、第二スイッチ、第三スイッチおよび一斉呼出スイッチを有し、
前記第一入力モジュールの第二スイッチが導通すると、前記第一演算処理ユニットは前記第二通信装置を呼び出す前記第一種呼出信号を発生し、
前記第一入力モジュールの第三スイッチが導通すると、前記第一演算処理ユニットは第三通信装置を呼び出す前記第五種呼出信号を発生し、
前記第一入力モジュールの一斉呼出スイッチが導通すると、前記第一演算処理ユニットは前記第一種一斉呼出信号を発生し、
前記第二入力モジュールの第一スイッチが導通すると、前記第二演算処理ユニットは前記第一通信装置を呼び出す前記第二種呼出信号を発生し、
前記第二入力モジュールの第三スイッチが導通すると、前記第二演算処理ユニットは第三通信装置を呼び出す前記第六種呼出信号を発生し、
前記第二入力モジュールの一斉呼出スイッチが導通すると、前記第二演算処理ユニットは前記第二種一斉呼出信号を発生し、
前記第三入力モジュールの第一スイッチが導通すると、前記第三演算処理ユニットは前記第一通信装置を呼び出す前記第三種呼出信号を発生し、
前記第三入力モジュールの第二スイッチが導通すると、前記第三演算処理ユニットは前記第二通信装置を呼び出す前記第四種呼出信号指示を発生し、
前記第三入力モジュールの一斉呼出スイッチが導通すると、前記第三演算処理ユニットは前記第三種一斉呼出信号を発生することを特徴とする請求項８に記載の双方向通信システム。
【請求項１０】
前記第一出力モジュール、前記第二出力モジュール、および前記第三出力モジュールは、いずれも、スピーカー、発光源、および振動モーターのいずれか一つを有することを特徴とする請求項７に記載の双方向通信システム。
【請求項１１】
前記第一出力モジュールおよび第二出力モジュールは、いずれも、スピーカー、発光源、および振動モーターのいずれか一つを有することを特徴とする請求項１または請求項２に記載の双方向通信システム。
【発明の詳細な説明】
【技術分野】
【０００１】
本発明は、双方向通信システムに関し、特にマルチアプリケーションを提供する双方向通信システムに関するものである。
【背景技術】
【０００２】
日常生活には、キー、テレビリモコン、携帯電話、時計、財布、めがねなど物探しが繰り返される。そのために時間を浪費し、非常に煩わしい。一方、小さい子供を持つ親は小さい子供と一緒に家にいても、小さい子供を連れて外出しても、子供が視線から離れることを不安に思う。
【０００３】
上述した問題に対し、特許文献１には、構造が改良された双方向遠隔制御装置が開示されている。該案は第一双方向遠隔制御装置の呼出ボタンを押し、第一双方向遠隔装置から呼出パスワードを発信し、続いて第二双方向遠隔制御装置の読取ボタンを押し、第一双方向遠隔制御装置からの呼出パスワードを読み取り、続いて第二双方向遠隔制御装置からの呼出パスワードを第一双方向遠隔制御装置に伝送することによってお互いを呼び出す目的を達成する。実際には、ユーザーが第一双方向遠隔制御装置を持ち、第二双方向遠隔装置を時計に付ける場合、時計は第二双方向遠隔制御装置の読取ボタンを押すことができないため、第一双方向遠隔制御装置および第二双方向遠隔制御装置のお互いを呼び出すことは成立しないだけでなく、ユーザーは時計を見付けることができない。
【先行技術文献】
【特許文献】
【０００４】
【特許文献１】台湾実用新案第Ｍ３５３５８３号明細書
【発明の概要】
【発明が解決しようとする課題】
【０００５】
本発明は、忘れ物の場所を迅速に特定可能であり、子供を迅速に見つけることが可能な双方向通信システムを提供することを主な目的とする。
【課題を解決するための手段】
【０００６】
上述の目的を達成するために、本発明による双方向通信システムは、第一通信装置および第二通信装置を備える。第一通信装置は、第一演算処理ユニット、第一バッテリ、第一入力モジュール、第一出力モジュール、および、第一無線通信モジュールを有する。第一バッテリ、第一入力モジュール、第一出力モジュール、および第一無線通信モジュールは第一演算処理ユニットに電気的に接続されている。第一演算処理ユニットに第一通信装置コードおよび第一通信アドレスが記憶されている。
第二通信装置は、第二演算処理ユニット、第二バッテリ、第二入力モジュール、第二出力モジュール、および、第二無線通信モジュールを有する。第二バッテリ、第二入力モジュール、第二出力モジュール、および第二無線通信モジュールが第二演算処理ユニットに電気的に接続されている。第二演算処理ユニットに第二通信装置コードおよび第二通信アドレスが記憶されている。
第一通信装置は、第一入力モジュールが第一演算処理ユニットを作動させることで、第一通信装置コード、第一通信アドレス、および第二通信装置コードを含み、第二通信装置を呼び出す信号である第一種呼出信号を発生し、第一無線モジュールによって第一呼出信号を発信する。
第二通信装置は、第二無線通信モジュールにより第一呼出信号を受信し、第二演算処理ユニットにより第一呼出信号の中の第二通信装置コードに基づいて通知信号を生成し、第二出力モジュールによって通知信号を発信する。
第二通信装置は、第二入力モジュールが第二演算処理ユニットを作動させることで、第二通信装置コード、第二通信アドレス、および第一通信装置コードを含み、第一通信装置を呼び出す信号である第二種呼出信号を発生し、第二無線モジュールによって第二種呼出信号を発信する。
第一通信装置は、第一無線通信モジュールにより第二種呼出信号を受信し、第一演算処理ユニットにより第二種呼出信号の中の第一通信装置コードに基づいて通知信号を生成し、第一出力モジュールによって通知信号を発信する。
【０００７】
また、第一入力モジュールは、第一演算処理ユニットを起動することによって第二通信装置を監視する信号を発生する。第一無線通信モジュールは、第二通信装置を監視する信号を発信する。第二無線通信モジュールは、第一通信装置から第二通信装置を監視する信号を受信する。第二演算処理ユニットは、第二通信装置を監視する第一通信装置の信号に基づいて複数の応答周期内に複数の応答信号を発生する。第二無線通信モジュールは応答信号を発信する。第一無線通信モジュールは、第一演算処理ユニットによって制御され、所定時間になると応答信号を受信する。第一演算処理ユニットは、警告条件に基づいて警告信号を発生する。第一出力モジュールによって警告信号が発信される。警告条件は、第一無線通信モジュールが所定時間内に応答指示を受けていない条件を含む。
【図面の簡単な説明】
【０００８】
【図１】本発明の一実施形態による双方向通信システムを示す模式図である。
【図２Ａ】本発明の一実施形態による双方向通信システムの使用状態を示す模式図である。
【図２Ｂ】本発明の一実施形態による双方向通信システムの使用状態を示す模式図である。
【図２Ｃ】本発明の一実施形態による双方向通信システムの使用状態を示す模式図である。
【図２Ｄ】本発明の一実施形態による双方向通信システムの使用状態を示す模式図である。
【図３Ａ】本発明の一実施形態による双方向通信システムの使用状態を示す模式図である。
【図３Ｂ】本発明の一実施形態による双方向通信システムの使用状態を示す模式図である。
【図３Ｃ】本発明の一実施形態による双方向通信システムの使用状態を示す模式図である。
【図４】本発明の一実施形態による双方向通信システムの使用状態を示す模式図である。
【図５】本発明の一実施形態による双方向通信システムの応答時間および受信時間の周期を示す模式図である。
【発明を実施するための形態】
【０００９】
以下、本発明の実施形態による双方向通信システムを図面に基づいて説明する。
（一実施形態）
図１に示すように、本発明の一実施形態による双方向通信システム１０は、第一通信装置１１、第二通信装置１３、第三通信装置１５および第四通信装置１７を備える。第一通信装置１１から第四通信装置１７は無線ネットワークによって相互に通信することができる。実況に応用する際、物を置いた場所を迅速に見付けるか、子供を迷子にさせることを避けるために、第一通信装置１１から第四通信装置１７は物または子供の体に付けられる。本発明は上述したとおり応用されるが、これに限らず、別の用途に対応することができる。
【００１０】
第一通信装置１１は、第一演算処理ユニット１１１、第一バッテリ１１３、第一入力モジュール１１５、第一出力モジュール１１７および第一無線通信モジュール１１９を有する。
【００１１】
第二通信装置１３は、第二演算処理ユニット１３１、第二バッテリ１３３、第二入力モジュール１３５、第二出力モジュール１３７および第二無線通信モジュール１３９を有する。
【００１２】
第三通信装置１５は、第三演算処理ユニット１５１、第三バッテリ１５３、第三入力モジュール１５５、第三出力モジュール１５７および第三無線通信モジュール１５９を有する。
【００１３】
第四通信装置１７は、第四演算処理ユニット１７１、第四バッテリ１７３、第四入力モジュール１７５、第四出力モジュール１７７および第四無線通信モジュール１７９を有する。
【００１４】
第一演算処理ユニット１１１は第一バッテリ１１３に電気的に接続されることで第一バッテリ１１３の電気エネルギーを受け、かつ第一通信装置コード、一斉呼出コードおよび第一通信アドレスを保存する。第二演算処理ユニット１３１は第二バッテリ１３３に電気的に接続されることで第二バッテリ１３３の電気エネルギーを受け、かつ第二通信装置コード、一斉呼出コードおよび第二通信アドレスを保存する。第三演算処理ユニット１５１は第三バッテリ１５３に電気的に接続されることで第三バッテリ１５３の電気エネルギーを受け、かつ第三通信装置コード、一斉呼出コードおよび第三通信アドレスを保存する。第四演算処理ユニット１７１は第四バッテリ１７３に電気的に接続されることで第四バッテリ１７３の電気エネルギーを受け、かつ第四通信装置コード、一斉呼出コードおよび第四通信アドレスを保存する。第一通信装置コードから第四通信装置コードと、第一通信アドレスから第四通信アドレスとは異なるが、第一通信装置１１から第四通信装置１７の一斉呼出コードは同じである。
【００１５】
第一入力モジュール１１５は第一演算処理ユニット１１１に電気的に接続されることで第一演算処理ユニット１１１を起動する。第二入力モジュール１３５は第二演算処理ユニット１３１に電気的に接続されることで第二演算処理ユニット１３１を起動する。第三入力モジュール１５５は第三演算処理ユニット１５１に電気的に接続されることで第三演算処理ユニット１５１を起動する。第四入力モジュール１７５は第四演算処理ユニット１７１に電気的に接続されることで第四演算処理ユニット１７１を起動する。第一入力モジュール１１５、第二入力モジュール１３５、第三入力モジュール１５５および第四入力モジュール１７５はそれぞれ第一スイッチＳ１、第二スイッチＳ２、第三スイッチＳ３、第四スイッチＳ４および一斉呼出スイッチＳＴを有する。本実施形態において、第一スイッチＳ１、第二スイッチＳ２、第三スイッチＳ３、第四スイッチＳ４および一斉呼出スイッチＳＴはノーマルオープンスイッチ(Normally Open Switch)である。ノーマルオープンスイッチは普段オープンし、外力から圧迫されるか特定信号によって起動されると閉じて導通し、外力または特定信号が消えるとオープン状態に復元することが特性である。
【００１６】
第一出力モジュール１１７および第一無線通信モジュール１１９は第一演算処理ユニット１１１に電気的に接続される。第一無線通信モジュール１１９は無線信号の受信および発信に用いられる。第二出力モジュール１３７および第二無線通信モジュール１３９は第二演算処理ユニット１３１に電気的に接続される。第二無線通信モジュール１３９は無線信号の受信および発信に用いられる。第三出力モジュール１５７および第三無線通信モジュール１５９は第三演算処理ユニット１５１に電気的に接続される。第三無線通信モジュール１５９は無線信号の受信および発信に用いられる。第四出力モジュール１７７および第四無線通信モジュール１７９は第四演算処理ユニット１７１に電気的に接続される。一方、第四無線通信モジュール１７９は無線信号の受信および発信に用いられる。第一出力モジュール１１９、第二出力モジュール１３９、第三出力モジュール１５９および第四出力モジュール１７９はIEEE 802.11標準およびブルートゥースプロファイル（Bluetooth（登録商標） profile）など通信規格に対応する。
【００１７】
上述した説明により、第一通信装置１１から第四通信装置１７は構築が同じであり、それぞれ専用の装置コードを持つことが判明した。
【００１８】
実際に応用する際、本発明による双方向通信システムは個別呼出モード（図２Ａから図２Ｄ参照）、一斉呼出モード（図３Ａから図３Ｃ参照）およびファミリーモード（図４参照）などの三つのモードに適用できる。
【００１９】
個別呼出モードの場合、図２Ａ中の黒く塗られたブロックに示すように、第一入力モジュール１１５の第二スイッチＳ２が導通する際、第一通信装置１１は第二通信装置１３を呼び出す。第一演算処理ユニット１１１は第二通信装置１３を呼び出す指示を生じ、第一無線通信モジュール１１９によって発信する。第一通信装置１１から第二通信装置１３を呼び出す指示は第一通信装置コード、第一通信アドレスおよび第二通信装置コードを含む。続いて第二無線通信モジュール１３９は第一通信装置１１から第二通信装置１３を呼び出す指示を受信する。そののち第二演算処理ユニット１３１は第一通信装置１１から第二通信装置１３を呼び出す指示の中の第二通信装置コードに基づいて通知を生じ、第二出力モジュール１３７によって発信する。このとき第三通信装置１５および第四通信装置１７は稼動せず、待機状態を維持する。
【００２０】
図２Ｂ中の黒く塗られたブロックに示すように、第一入力モジュール１１５の第三スイッチＳ３が導通する際、第一通信装置１１は第三通信装置１５を呼び出す。第一演算処理ユニット１１１は第三通信装置１５を呼び出す指示を生じ、第一無線通信モジュール１１９によって発信する。第一通信装置１１から第三通信装置１５を呼び出す指示は第一通信装置コード、第一通信アドレスおよび第三通信装置コードを含む。続いて第三無線通信モジュール１５９は第一通信装置１１から第三通信装置１５を呼び出す指示を受信する。そののち第三演算処理ユニット１５１は第一通信装置１１から第三通信装置１５を呼び出す指示の中の第三通信装置コードに基づいて通知を生じ、第三出力モジュール１５７によって発信する。このとき第二通信装置１３および第四通信装置１７は稼動せず、待機状態を維持する。
【００２１】
図２Ｃ中の黒く塗られたブロックに示すように、第一入力モジュール１１５の第四スイッチＳ４が導通する際、第一通信装置１１は第四通信装置１７を呼び出す。第一演算処理ユニット１１１は第四通信装置１７を呼び出す指示を生じ、第一無線通信モジュール１１９によって発信する。第一通信装置１１から第四通信装置１７を呼び出す指示は第一通信装置コード、第一通信アドレスおよび第四通信装置コードを含む。続いて第四無線通信モジュール１７９は第一通信装置１１から第四通信装置１７を呼び出す指示を受信する。そののち第四演算処理ユニット１７１は第一通信装置１１から第四通信装置１７を呼び出す指示の中の第四通信装置コードに基づいて通知を生じ、第四出力モジュール１７７によって発信する。このとき第二通信装置１３および第三通信装置１５は稼動せず、待機状態を維持する。
【００２２】
図２Ｄ中の黒く塗られたブロックに示すように、第二入力モジュール１３５の第一スイッチＳ１が導通する際、第二通信装置１３は第一通信装置１１を呼び出す。第二演算処理ユニット１３１は第一通信装置１１を呼び出す指示を生じ、第二無線通信モジュール１３９によって発信する。第二通信装置１３から第一通信装置１１を呼び出す指示は第二通信装置コード、第二通信アドレスおよび第一通信装置コードを含む。続いて第一無線通信モジュール１１９は第二通信装置１３から第一通信装置１１を呼び出す指示を受信する。そののち第一演算処理ユニット１１１は第二通信装置１３から第一通信装置１１を呼び出す指示の中の第一通信装置コードに基づいて通知を生じ、第一出力モジュール１１７によって発信する。このとき第三通信装置１５および第四通信装置１７は稼動せず、待機状態を維持する。
【００２３】
上述したとおり、個別呼出モードにおいて、第一通信装置１１のスイッチＳ１、第二通信装置１３の第二通信装置Ｓ２、第三通信装置１５の第三スイッチＳ３および第四通信装置１７の第四スイッチＳ４は自分を表す。つまり、自分のスイッチが単独で導通する際、装置には別の作動が起こらない。
【００２４】
上述した説明により、あらゆる装置の入力モジュールの第一スイッチＳ１から第四スイッチＳ４はそれぞれ第一通信装置１１から第四通信装置１７を表すことが判明した。つまり、装置は特定対象のスイッチを導通させることによって特定対象の装置を呼び出すことができる。それに対し、特定対象の装置は呼出指示を受信し、音を生じ、現在地を知らせる。あらゆる装置は別の装置に対応するスイッチを有するため、別の装置を単独で呼び出すことができる。その操作方法は上述したとおりであるため、説明を省略する。
【００２５】
一斉呼出モードの場合、図３Ａ中の黒く塗られたブロックに示すように、第一入力モジュール１１５の一斉呼出スイッチＳＴが導通する際、第一通信装置１１は第二通信装置１３、第三通信装置１５および第四通信装置１７を呼び出す。第一演算処理ユニット１１１は一斉呼出の指示を生じ、第一無線通信モジュール１１９によって発信する。第一通信装置１１からの一斉呼出の指示は第一通信装置コード、第一通信アドレスおよび一斉呼出コードを含む。続いて第二無線通信モジュール１３９、第三無線通信モジュール１５９および第四無線通信モジュール１７９はそれぞれ第一通信装置１１から一斉呼出の指示を受信する。そののち第二演算処理ユニット１３１、第三演算処理ユニット１５１および第四演算処理ユニット１７１はそれぞれ第一通信装置１１からの一斉呼出の指示の中の一斉呼出コードに基づいて通知を生じ、それぞれ第二出力モジュール１３７、第三出力モジュール１５７および第四出力モジュール１７７によって発信する。
【００２６】
図３Ｂ中の黒く塗られたブロックに示すように、第二入力モジュール１３５の一斉呼出スイッチＳＴが導通する際、第二演算処理ユニット１３１は一斉呼出の指示を生じ、第二無線通信モジュール１３９によって発信する。第二通信装置１３からの一斉呼出の指示は第二通信装置コード、第二通信アドレスおよび一斉呼出コードを含む。続いて第一無線通信モジュール１１９、第三無線通信モジュール１５９および第四無線通信モジュール１７９はそれぞれ第二通信装置１３から一斉呼出の指示を受信する。そののち第一演算処理ユニット１１１、第三演算処理ユニット１５１および第四演算処理ユニット１７１はそれぞれ第二通信装置１３からの一斉呼出の指示の中の一斉呼出コードに基づいて通知を生じ、それぞれ第一出力モジュール１１７、第二出力モジュール１５７および第三出力モジュール１７７によって発信する。
【００２７】
図３Ｃ中の黒く塗られたブロックに示すように、第三入力モジュール１５５の一斉呼出スイッチＳＴが導通する際、第三演算処理ユニット１５１は一斉呼出の指示を生じ、第三無線通信モジュール１５９によって発信する。第三通信装置１５からの一斉呼出の指示は第三通信装置コード、第三通信アドレスおよび一斉呼出コードを含む。続いて第一無線通信モジュール１１９、第二無線通信モジュール１３９および第四無線通信モジュール１７９はそれぞれ第三通信装置１５から一斉呼出の指示を受信する。第一演算処理ユニット１１１、第二演算処理ユニット１３１および第四演算処理ユニット１７１はそれぞれ第三通信装置１５からの一斉呼出の指示の中の一斉呼出コードに基づいて通知を生じ、それぞれ第一出力モジュール１１７、第二出力モジュール１３７および第三出力モジュール１７７によって発信する。
【００２８】
同様に第四入力モジュール１７５の一斉呼出スイッチＳＴが導通する際、第四通信装置１７は第一通信装置１１、第二通信装置１３および第三通信装置１５に一斉呼出の指示を発信することに対し、第一通信装置１１、第二通信装置１３および第三通信装置１５は一斉呼出の指示の中の一斉呼出コードに基づいて通知を生じる。上述したとおり、本発明による双方向通信システムは第一通信装置１１から第四通信装置１７のいずれか一つの一斉呼出スイッチを導通させることによってそのほかの装置の出力モジュールに通知を発信させることができる。
【００２９】
ファミリーモードの場合、図４および図５に示すように、本実施形態は第二通信装置１３を子機に設定し、別の装置（即ち第一通信装置１１、第三通信装置１５および第四通信装置１７）を親機に設定する。設定方法は親機上の親機スイッチおよび子機スイッチを導通させ、所定時間、例えば５秒まで持続させる。以下、第一通信装置１１を親機として上述した設定を説明する。図中の黒く塗られたブロックに示すように、第一入力モジュール１１５の第一スイッチＳ１（親機スイッチ）および第二スイッチＳ２（子機スイッチ）が同時に導通し、かつ５秒続けて導通する際、第一演算処理ユニット１１１は第二通信装置１３を監視する指示を生じ、第一無線通信モジュール１１９によって発信する。第二無線通信モジュール１３９が第一通信装置１１から第二通信装置１３を監視する指示を受信すると、第二演算処理ユニット１３１は応答指示を生じ、第二無線通信モジュール１３９によって第一通信装置１１へ発信し、設定を完了させる。
【００３０】
同様に上述した設定方式によって第三通信装置１５および第四通信装置１７を親機に設定すれば、第一通信装置１１、第三通信装置１５および第四通信装置１７が同時に親機になる。
【００３１】
図５に示すように、ファミリーモードの設定が完了した後、第二演算処理ユニット１３１は複数の応答周期ＴT内に複数の応答指示を生じ、第二無線通信モジュール１３９によって発信する。第一無線通信モジュール１１９は第一演算処理ユニット１１１によって制御され、所定時間ＴPになると第二通信装置１３からの応答指示を受信する。所定時間ＴPになる時は図中に出た導通状態を示す。一方、第一演算処理ユニット１１１は所定時間ＴP内に第一無線通信モジュール１１９を制御し、応答指示の受信を中止させる。つまり第一通信装置１１は休眠状態になるため、省エネルギーに達することができる。
【００３２】
応答周期ＴTごとに稼働時間Ｔ１および休眠時間Ｔ２がある。第二演算処理ユニット１３１が稼働時間Ｔ１内に応答指示を発すれば第二通信装置１３が稼動状態になる。第二演算処理ユニット１３１が休眠時間Ｔ２内に応答指示を中止すれば第二通信装置１３が休眠状態になる。本実施形態において、所定時間ＴPおよび休眠時間Ｔ２は１秒に設定され、稼働時間Ｔ１は３秒に設定される。親機および子機が通信範囲内である場合、親機は稼働時間Ｔ１になると子機から応答指示を受信することができる。
【００３３】
第一無線通信モジュール１１９が所定時間ＴPになると第二通信装置１３から応答指示を受信できる場合、第一通信装置１１（親機）は別の処理を行わず、次の所定時間Ｔｐに応答指示を受信することを待つ。第一無線通信モジュール１１９が所定時間ＴPになっても第二通信装置１３から応答指示を受信しなかった場合、第一演算処理ユニット１１１は警告条件に基づいて警告を生じ、第一出力モジュール１１７によって発信する。警告条件の一つは第一無線通信モジュール１１９が所定時間ＴPになっても応答指示を受信しなかったことである。つまり子機が本発明による双方向通信システムの通信範囲から離れると、親機が子機からの応答指示を受信できないため、親機は警告を生じ、子機を持つ子供が遠く行ってしまうことを防止することができる。
【００３４】
一方、親機は子機が遠く離れたことを誤判することを防止するために、本実施形態では第一無線通信モジュール１１９が２回続けて所定時間になっても応答指示を受信できないことを警告条件の一つとする。つまり、親機（第一通信装置１１）が２回続けて子機（第二通信装置１１）から応答指示を受信できないと、子機は捕まらないと判断される。言い換えれば、親機が２回続けて受信作動する間に一回だけ受信できることは警告条件を満たさない。親機が２回続けて受信作動する間に２回も受信できないと、子機がつかまらないと判断する。上述したとおり、本発明による双方向通信システムは親機が稼動状態、子機が休眠状態になる際に動作を誤ることを防止できる。本実施形態において、警告条件に応じて親機が応答指示を受信する回数は一回か二回に限らず、調整することができる。所定時間、稼働時間および休眠時間は数秒に限らず、調整することができる。
【００３５】
第二通信装置１３（子機）は長時間にわたって応答指示を続けて発信しなければならないために、第二バッテリ１３３の容量が第一バッテリ１１３、第三バッテリ１５３および第四バッテリ１７３の容量より大きい。
【００３６】
本実施形態において、ファミリーモードは第二通信装置を子機に設定するが、これに限らず、状況に応じて別の装置、例えば第一通信装置、第三通信装置または第四通信装置を子機に設定することができる。従って、子機は必ずしも第二通信装置１３であるとは限らない。第三通信装置１５および第四通信装置１７は親機になってもよい。その設定方式および稼動は上述した第一通信装置と同じであるため、説明を省略する。
【００３７】
本実施形態において、第一出力モジュール１１５、第二出力モジュール１３５、第三出力モジュール１５５および第四出力モジュール１７５はスピーカー、発光源および振動モーターのいずれか一つを有する。スピーカーの場合、通知および警告は音声によって表示される。発光源の場合、通知および警告は光によって表示される。振動モーターの場合、通知および警告は振動方式によって表示される。発光源は発光ダイオード（Light Emitting Diode、ＬＥＤ）が比較的好ましいが、これに限らない。出力モジュールはスピーカー、発光源および振動モーターの組み合わせを使用することができる。
【００３８】
本実施形態は、四台の装置を例として説明するが、これに限らない。つまり、本発明による双方向通信システムは状況に応じて四台の装置に限らず、二台の装置を使用することができる。
【符号の説明】
【００３９】
１０：双方向通信システム、
１１：第一通信装置、  
１１１：第一演算処理ユニット、
１１３：第一バッテリ、  
１１５：第一入力モジュール、  
１１７：第一出力モジュール、  
１１９：第一無線通信モジュール、  
１３：第二通信装置、  
１３１：第二演算処理ユニット、  
１３３：第二バッテリ、  
１３５：第二入力モジュール、  
１３７：第二出力モジュール、  
１３９：第二無線通信モジュール、  
１５：第三通信装置、  
１５１：第三演算処理ユニット、  
１５３：第三バッテリ、  
１５５：第三入力モジュール、  
１５７：第三出力モジュール、  
１５９：第三無線通信モジュール、  
１７：第四通信装置、  
１７１：第四演算処理ユニット、  
１７３：第四バッテリ、  
１７５：第四入力モジュール、  
１７７：第四出力モジュール、  
１７９：第四無線通信モジュール、  
Ｓ１：第一スイッチ、  
Ｓ２：第二スイッチ、  
Ｓ３：第三スイッチ、  
Ｓ４：第四スイッチ、  
ＳＴ：一斉呼出スイッチ、  
ＴP：所定時間、  
ＴT：応答周期、  
Ｔ１：稼働時間、  
Ｔ２：停止期間。
【図１】
2015106800.tif 000003
【図２Ａ】
2015106800.tif 000004
【図２Ｂ】
2015106800.tif 000005
【図２Ｃ】
2015106800.tif 000006
【図２Ｄ】
2015106800.tif 000007
【図３Ａ】
2015106800.tif 000008
【図３Ｂ】
2015106800.tif 000009
【図３Ｃ】
2015106800.tif 000010
【図４】
2015106800.tif 000011
【図５】
2015106800.tif 000012